(57)【要約】【課題】製品の輸送時や運転時の振動・衝撃に耐え、リサイクルの際には容易に機器を取り外せる底板部材に対する機器の取付構造及び態様を提供すること。【解決手段】底板１及び底板１の上面から突出し内部にネジ穴１Ｂを有するネジボス１Ａを備えた底板部材と、ネジボス１Ａの周囲に配置されて振動を吸収可能に機器を支持する防振部材２と、ネジ部４Ａとヘッド部４Ｂとを有しネジ部４Ａがネジボス１Ａに嵌合されてヘッド部４Ｂが防振部材２の移動を規制するネジ４と、を備えてなる底板部材に対する機器の取付構造であって、底板１の上面からネジ４の下端までの距離をネジボスの外径の１／４以上とし、ネジボス１Ａの軸方向中心に対応した底板１の底面にドリルの先端が嵌る溝１Ｃを形成したことを特徴とする。【選択図】        図１
2004293915.tif 000002
【特許請求の範囲】
【請求項１】
底板及び該底板の上面から突出し内部にネジ穴を有するネジボスを備えた底板部材と、前記ネジボス周囲に配置されて振動を吸収可能に機器を支持する防振部材と、ネジ部とヘッド部とを有し前記ネジ部が前記ネジボスに嵌合されて前記ヘッド部が前記防振部材の移動を規制するネジと、を備えてなる底板部材に対する機器の取付構造であって、
前記底板の上面から前記ネジの下端までの距離を前記ネジボスの外径の１／４以上とし、
前記ネジボスの軸方向中心に対応した前記底板の底面にドリルの先端が嵌る溝を形成したことを特徴とする、底板部材に対する機器の取付構造。
【請求項２】
前記溝が前記ネジボスのネジ穴であることを特徴とする請求項１記載の機器の取付構造。
【請求項３】
前記底板部材が樹脂製であることを特徴とする請求項１又は２記載の機器の取付構造。
【請求項４】
前記機器が圧縮機であることを特徴とする請求項１乃至３のいずれかに記載の機器の取付構造。
【請求項５】
底板及び該底板の上面から突出し内部にネジ穴を有するネジボスを備えた底板部材と、前記ネジボス周囲に配置されて振動を吸収可能に圧縮機を支持する防振部材と、ネジ部とヘッド部とを有し前記ネジ部が前記ネジボスに嵌合されて前記ヘッド部が前記防振部材の移動を規制するネジと、を備えてなる底板部材に対する圧縮機の取付構造を有する除湿機において、
前記底板の上面から前記ネジの下端までの距離を前記ネジボスの外径の１／４以上とし、
前記ネジボスの軸方向中心に対応した前記底板の底面にドリルの先端が嵌る溝を形成したことを特徴とする除湿機。
【請求項６】
前記溝が前記ネジボスのネジ穴であることを特徴とする請求項５記載の除湿機。
【請求項７】
前記底板底面の前記溝の近傍にドリルを表示したドリル表示部を設けたことを特徴とする請求項５又は６記載の除湿機。
【請求項８】
前記底板底面の前記溝の近傍にドリルの径と深さを表示したドリル情報表示部を設けたことを特徴とする請求項５乃至７のいずれかに記載の除湿機。
【請求項９】
前記圧縮機の取り外し方法を表示した分解方法表示部を、前記底板底面を除いた除湿機の外周面又は開閉部の内側面に設けたことを特徴とする請求項５乃至８のいずれかに記載の除湿機。
【発明の詳細な説明】
【０００１】
【発明の属する技術分野】
本発明は、底板部材に対する機器の取付構造及び分解方法に関連し、さらにその取付構造を利用して圧縮機を底板部材に取付けた除湿機に関する。
【０００２】
【従来の技術】
空調機や除湿機をリサイクルするには、冷媒として使用されているフロンガスを回収し、その冷媒を圧縮するのに使用されている圧縮機を取り外してから破砕する。この圧縮機を取り外す時間を短縮するために、圧縮機を取り付けているケース底板の固定用ネジ周囲に開口部を設けたり（特許文献１参照）、薄肉部等の弱い部分を設け（特許文献２参照）、リサイクルのための製品解体時に、底板を容易に破壊して圧縮機を取り外す方法がある。
【０００３】
【特許文献１】
特開２０００−２４９３６９号公報（第５頁，図４）
【特許文献２】
特開２００２−６１８８３号公報（第４頁，図２）
【０００４】
【発明が解決しようとする課題】
しかしながら、ケース底板に開口部や薄肉部を設けた構造では、輸送時や運転時の振動・衝撃により、また底板として一般的な樹脂の経年劣化等により応力集中を招き、開口部や薄肉部分から亀裂が生じ、振動や騒音が発生するという問題があった。
また、除湿機は室内にて使用するため、底板に設けた穴や切込み部分から結露水がもれたり、除湿機内部の騒音が漏れる等の問題があった。
さらに、樹脂製底板の場合には、衝撃を与えても樹脂の弾性により底板破壊が困難な場合があり、一方で底板が破壊した場合には破片が飛び散るという危険もあった。
【０００５】
本発明は上記のような課題を解決するためになされたもので、製品の輸送時や運転時の振動・衝撃に耐えることができ、リサイクルのために分解する際には容易に機器を取り外せる、ケース等の底板部材に対する機器の取付構造を提供することを目的とする。また、製品の輸送時や運転時の振動・衝撃に耐えることができ、リサイクルのために分解する際には容易に圧縮機を取り外せる、底板部材に対する圧縮機の取付構造及び態様を有した除湿機を提供することを目的とする。
【０００６】
【課題を解決するための手段】
本発明の底板部材に対する機器の取付構造は、底板及び該底板の上面から突出し内部にネジ穴を有するネジボスを備えた底板部材と、前記ネジボス周囲に配置されて振動を吸収可能に機器を支持する防振部材と、ネジ部とヘッド部とを有し前記ネジ部が前記ネジボスに嵌合されて前記ヘッド部が前記防振部材の移動を規制するネジと、を備えてなる底板部材に対する機器の取付構造であって、前記底板の上面から前記ネジの下端までの距離を前記ネジボスの外径の１／４以上とし、前記ネジボスの軸方向中心に対応した前記底板の底面にドリルの先端が嵌る溝を形成したことを特徴とする。
また、本発明の除湿機は、底板及び該底板の上面から突出し内部にネジ穴を有するネジボスを備えた底板部材と、前記ネジボス周囲に配置されて振動を吸収可能に圧縮機を支持する防振部材と、ネジ部とヘッド部とを有し前記ネジ部が前記ネジボスに嵌合されて前記ヘッド部が前記防振部材の移動を規制するネジと、を備えてなる底板部材に対する圧縮機の取付構造を有する除湿機において、前記底板の上面から前記ネジの下端までの距離を前記ネジボスの外径の１／４以上とし、前記ネジボスの軸方向中心に対応した前記底板の底面にドリルの先端が嵌る溝を形成したことを特徴とする。
【０００７】
【発明の実施の形態】
以下、本発明の実施の形態についての図面を用いて説明する。図１は本発明の実施の形態に係る除湿機の断面図である。この除湿機は、底板（又はケース底板）１に圧縮機３が取付け固定され、その圧縮機３の上部においてドレンパン５が底板１に積み重ねて固定されている。ドレンパン５には、ファンモータ６、ファンモータ６による駆動されるファン７を取り付けたベルマウス８等が取り付けられている。また、ドレンパン５上のファン７に対向する位置には、圧縮機３とともに冷媒回路を構成する蒸発器９及び凝縮器１０が固定されている。ドレンパン５上の上部には、さらにこの除湿機を制御するための基板１１等がある。そして、これらの各内蔵機器は、除湿機の外周を構成する前ケース１２及び後ケース１３によって囲まれている。
【０００８】
実施の形態１
図２は本発明の実施の形態１に係る圧縮機取付構造を示す部分断面図である。底板１からは上方にネジボス１Ａが突出しており、ネジボス１Ａの内部には軸方向に沿ってネジ穴１Ｂが形成されている。なお、底板１にネジボス１Ａが形成されたものを底板部材と呼ぶこととする。ネジボス１Ａの外周には防振部材２が挿入されており、この防振部材２と圧縮固定補助部材３Ａとを介して圧縮機３が振動を吸収可能に支持されている。ネジボス１Ａにはネジ４のネジ部４Ａが締め付け嵌合されており、このネジ４のヘッド部４Ｂにより、防振部材２の移動（又は移動量）が規制されている。このような構造によって、圧縮機３は底板部材に取り付けられ固定されている。なお、ネジボス１Ａに締め付け嵌合されたこのネジ４のネジ部４Ａ先端と底板１の上面との距離Ｈは、ネジボス１Ａの外径Ｄの４分の１以上とする。また、ネジボス１Ａの軸方向中心に対応した底板１の底面には、ドリルの先端が嵌る溝１Ｃを形成している。なお、この溝１Ｃは、必ずしもドリルの先端形状に完全に対応した切欠形状である必要はない。
【０００９】
ところで、ネジ４のネジ部４Ａ先端と底板１の上面（ネジボス１Ａの根元面）との距離Ｈを、ネジボス１Ａの外径Ｄの４分の１以上としたのは、次の理由による。すなわち、一般的なドリル刃の刃先角は１２０°であるため、そのようなドリル刃を溝１Ｃから挿入して行ったときその刃先がネジ４に到達する前にネジボス１Ａが切断される。このため、圧縮機３を底板１に固定していたネジボス１Ａとネジ４は底板１から切り離されて、圧縮機３を短時間で底板部材から取り外すことが可能となるからである。
【００１０】
上記の底板１に対する圧縮機３の取付構造によれば、除湿機及び圧縮機は、輸送時や運転時の振動・衝撃に耐えることができる。また、リサイクルにより除湿機を分解する際には、フロンガスを回収後、図３に示すように、底板１に設けた溝１Ｃにドリル刃１５の先端を嵌合させてドリルを作動させると、ドリルの作用により底板１のネジボス１Ａ部に穴が空いて、ネジ４と一緒にネジボス１Ａが底板１から切り取られる。従って、圧縮機３を底板１から簡単に取り外すことができる。なお、底板１は通常、樹脂製であり短時間で穴を空けることができるが、底板は必ずしも樹脂製のものには限られず、ドリル加工が可能な他の材質であってもかまわない。また、溝１Ｃが底板１から突出したネジボス１Ａの中心に対応する位置にあるため、従来の場合とは異なり、応力集中によるネジボスの折れ等も起こりにくく、亀裂等に起因する振動や騒音の発生も抑制できる。さらに、底板１から結露水や騒音が漏れることもない。
【００１１】
以上のように、実施の形態１によれば、底板１の底面に設けた溝１Ｃをドリル刃１５の位置ガイドとしてドリル刃１５により底板１に穴を空けることにより、圧縮機３を固定しているネジボス１Ａを底板１から容易に切断することができる。従って、前ケース１２及び／又は後ケース１３を外すことにより、前述した他の内蔵部品を外すことなく圧縮機３を底板１から取り外すこともできる。なお、作業者の手が容易に届く位置のネジ４をドライバ等で取り外す構成とし、それ以外の装置内側からの作業が困難なネジに対応するネジボス部だけを、上記のドリル刃１５を利用する構造にしてもよい。
【００１２】
実施の形態２
図４は本発明の実施の形態２に係る圧縮機取付構造を示す部分断面図である。実施の形態１の図２の場合には、ドリル刃１５が嵌合する溝１Ｃを、底板１を貫通しない切欠き溝として形成したが、ここでは、ネジボス１Ａのネジ穴１Ｂを底板１の底面まで貫通させて、そのネジ穴１Ｂを溝１Ｃとして利用するようにしたものである。その他の構成は図２の構成と同様である。従って、この構造によっても、除湿機及び圧縮機は、輸送時や運転時の振動・衝撃に耐えることができる。また、リサイクルにより除湿機を分解する際には、フロンガスを回収後、図３に示すように、底板１に設けた溝１Ｃにドリル刃１５の先端を嵌合させてドリルを作動させると、ドリルの作用により底板１に穴が空いて、ネジ４と一緒にネジボス１Ａが底板１から切り取られ、圧縮機３を底板１から簡単に取り外すことができる。
【００１３】
なお、図４の構成の場合、底板１に貫通穴が形成されることになるが、その穴周囲はネジボス１Ａで補強されているので、従来の場合とは異なり、応力集中によるネジボスの折れ等も起こりにくく、亀裂等に起因する振動や騒音の発生も抑制できる。さらに、ネジ穴１Ｂにはネジ４が嵌合されているため、底板１から結露水や騒音が漏れることもない。
【００１４】
上記実施の形態１又は２において示した除湿機の底板部材に対する圧縮機の取付構造は、除湿機以外の装置の底板部材にその装置を構成する機器を取り付ける場合にも適用できる。次に、上記実施の形態１又は２の構成と共に採用されることで、除湿機等の装置の分解性を更に容易にできる構成を実施の形態３〜５として示す。
【００１５】
実施の形態３
図５は本発明の実施の形態３に係る除湿機を底板底面から見た底面図である。図中、破線で示されたものは、底板１の内側（底板１の上面側）にあることを示している。ここでは、ネジボス１Ａの破壊用に底板１に形成した溝１Ｃ付近に、溝１Ｃとドリル刃を関連させるイラストを表示したラベル１６を貼り付けて、ドリル表示部を形成している。これにより、圧縮機３の取り外しにはドリルを使用し、溝１Ｃにドリル刃を嵌合させて行うことが理解でき、除湿機をより短時間で分解することが可能となる。なお、ラベル１６に表示する内容は、イラストに限られるものではなく、溝１Ｃとドリル刃を関連させることができる他の情報であってもよい。また、ラベル１６ではなくて、底板１の底面に上記のイラストや情報を一体成形により表示させてもよい。
【００１６】
実施の形態４
図６は本発明の実施の形態４に係る除湿機を底板底面から見た底面図である。図中、破線で示されたものは、底板１の内側（底板１の上面側）にあることを示している。ここでは、底板１に形成した溝１Ｃ付近に、ネジボス１Ａの破壊のために溝１Ｃへ嵌合させて使用すべきドリル刃の径と深さに関する情報を表示したラベル１７を貼り付けて、ドリル情報表示部を形成している。これにより、圧縮機３の取り外しに使用すべきドリルの種類が容易に理解でき、除湿機をより短時間で分解することが可能となる。なお、ラベル１７ではなくて、底板１の底面に当該情報を一体成形により表示させてもよい。この実施の形態４は、上記実施の形態３と組み合わせて用いることが特に好ましい。
【００１７】
実施の形態５
図７は本発明の実施の形態５を示す除湿機の背面図である。図中、破線で示されたものは、後ケース１３の内側（除湿機内部）にあることを示している。この場合においても、圧縮機３は、実施の形態１又は２のような態様で底板１に取り付けられている。そしてここでは、除湿機の後ケース１３の外周面、すなわち除湿機の背面に除湿機の分解方法を表示したラベル１８を貼り付けて、分解方法表示部を形成している。このラベル１８には、図７に示した内容に加えて、さらに詳細な分解方法や使用治具を入手するための情報、例えばバーコードやインターネットのＵＲＬ等を記載してもよい。これによれば、圧縮機３の取り外し方法における手順や使用治具を間違えることが少なくなって、より時間で除湿機から圧縮機３を取り外すことが可能となる。なお、ラベル１８は、底板１の底面を除いた除湿機の外周面又は開閉部の内側面のいずれに貼り付けてもよい。また、ラベル１８ではなくて、後ケース１３等のケース外周面に上記の情報を一体成形により表示させてもよい。
【００１８】
【発明の効果】
以上のように本発明によれば、圧縮機等の機器を、輸送時や運転時の振動や衝撃に耐え得るようにケース等の底板に取り付けることができる一方で、それらの機器が搭載された除湿機等の装置をリサイクルする際には、装置から短時間でそれらの機器を取り外すことが可能となる。
【図面の簡単な説明】
【図１】本発明の各実施の形態に係る除湿機の全体構成を示す断面図。
【図２】同実施の形態１に係る圧縮機取付構造を示す部分断面図。
【図３】同実施の形態１に係る底板部材のネジボス切断後の断面図。
【図４】同実施の形態２に係る圧縮機取付構造を示す部分断面図。
【図５】同実施の形態３に係る除湿機を底板底面から見た底面図。
【図６】同実施の形態４に係る除湿機を底板底面から見た底面図。
【図７】同実施の形態５に係る除湿機を後ケース側から見た背面図。
【符号の説明】
１  底板、１Ａ  ネジボス、１Ｂ  ネジ穴、１Ｃ  溝、２  防振部材、３  圧縮機、３Ａ  圧縮機固定補助部材、４  ネジ、４Ａ  ネジ部、４Ｂ  ヘッド部、５  ドレンパン、６  ファンモータ、７  ファン、８  ベルマウス、９  蒸発器、１０  凝縮器、１１  制御用基板、１２  前ケース、１３  後ケース、１５  ドリル刃、１６，１７，１８  ラベル。
【図１】
2004293915.tif 000003
【図２】
2004293915.tif 000004
【図３】
2004293915.tif 000005
【図４】
2004293915.tif 000006
【図５】
2004293915.tif 000007
【図６】
2004293915.tif 000008
【図７】
2004293915.tif 000009